(57)【特許請求の範囲】
【請求項１】
種々の通信回線を相互に接続して構築される通信ネットワークの接続切替システムにおいて、
電話番号と、該電話番号の種別に応じた電話番号の変更処理又はＩＰ網上における接続先の変更処理を行うための接続処理情報とを関連付けて蓄積する接続処理情報蓄積部と、
ダイヤルされた電話番号に応じて、前記接続処理情報蓄積部を参照し、公衆回線、専用回線、無線通信網および前記ＩＰ網を含む該電話番号の種別を識別するとともに、該種別に応じた接続処理情報を前記接続処理情報蓄積部から取得する電話番号識別部と、
前記接続処理情報蓄積部の情報に応じて接続先を変更する接続変更部と、
を具備し、
前記電話番号識別部は、ダイヤルされた電話番号に応じて、最も料金が低くなるような通信経路を選択し、取得された接続処理情報に応じて、前記ダイヤルされた電話番号を変更するか、又は前記ＩＰ網上における接続先を変更し、
前記接続変更部は、前記ＩＰ網上において料金が低くなるような接続先を変更する際、前記接続処理情報に基づいて、前記ＩＰ網上に設置されたサーバ装置に接続するための設定を変更した後、前記ＩＰ網に対する再接続を実行することによって前記接続先の変更を行うとともに、前記ＩＰ網上に送出されるパケットデータの送信先を変更された接続先宛に書き替える
ことを特徴とする接続切替システム。
【請求項２】
前記ＩＰ網に接続するためのＩＰ網接続部と、
音声信号とパケット信号との間で相互変換を行うＶｏＩＰ変換部とをさらに備え、
前記ＩＰ網に対する再接続の実行は、接続先に対するＩＤ、パスワード又はプロトコルのいずれかの変更、及び前記ＩＰ網接続部の再起動を伴うことを特徴とする請求項１に記載の接続切替システム。
【請求項３】
一般公衆回線網又は前記ＩＰ網上から前記接続処理情報を取得し、前記接続処理情報蓄積部内に蓄積された接続処理情報を更新するデータ更新部を備えることを特徴とする請求項１または請求項２に記載の接続切替システム。
【請求項４】
種々の通信回線を相互に接続して構築される通信ネットワークの接続切替システムにおいて、
予め、接続処理情報蓄積部に、電話番号と、該電話番号の種別に応じた電話番号の変更処理又はＩＰ網上における接続先の変更処理を行うための接続処理情報とを関連付けて蓄積しておき、
ダイヤルされた電話番号に応じて、前記接続処理情報蓄積部を参照し、公衆回線、専用回線、無線通信網および前記ＩＰ網を含む該電話番号の種別を識別するとともに、該種別に応じた接続先の接続処理情報を前記接続処理情報蓄積部から取得するステップ（１）と、
ダイヤルされた電話番号に応じて、最も料金が低くなるような通信経路を選択し、取得された接続処理情報に応じて、前記ダイヤルされた電話番号を変更するか、又は前記ＩＰ網上における接続先を変更するステップ（２）と
を備え、
前記ステップ（２）では、前記ＩＰ網上において、料金が低くなるような接続先へ変更する際、前記接続処理情報に基づいて、前記ＩＰ網上に設置されたサーバ装置に接続するための設定を変更した後、前記ＩＰ網に対する再接続を実行することによって前記接続先の変更を行うとともに、前記ＩＰ網上に送出されるパケットデータの送信先を変更された接続先宛に書き替える
ことを特徴とする接続切替方法。
【請求項５】
前記ステップ（２）では、ＶｏＩＰ変換部によって、音声信号とパケット信号との間で相互変換を行って、ＩＰ網接続部を通じて前記ＩＰ網に接続するとともに、前記ＩＰ網に対する再接続の実行は、接続先に対するＩＤ、パスワード又はプロトコルのいずれかの変更、及び前記ＩＰ網接続部の再起動を伴うことを特徴とする請求項４に記載の接続切替方法。
【請求項６】
一般公衆回線網又は前記ＩＰ網上から前記接続処理情報を取得し、前記接続処理情報蓄積部内に蓄積された接続処理情報を更新するステップを更に有することを特徴とする請求項４または請求項５に記載の接続切替方法。
【発明の詳細な説明】
【技術分野】
【０００１】  本発明は、ＶｏＩＰ（Ｖｏｉｃｅ  ｏｖｅｒ  Ｉｎｔｅｒｎｅｔ  Ｐｒｏｔｏｃｏｌ）技術を利用したいわゆるＩＰ電話が利用可能なモデムやターミナルアダプタ、メディアコンバータ、電話機等の終端装置に適用可能な接続切替システム及び接続切替方法に関する。
【背景技術】
【０００２】  従来より、複数の通信事業者が独自の料金設定により種々の電話サービスを提供しており、ユーザーはダイヤル時に通信事業者を通じて通話を行うための電話番号をダイヤルすることによって、任意の通信事業者のサービスを選択することができる。【０００３】  また、近年にあっては、音声信号をデータに変換し、通信網の一部にインターネットを利用するＩＰ電話サービスが提供されている（例えば、特許文献１参照）。このＩＰ電話では、利用者が直接負担する電話料金は、「送話者からアクセスポイントまで」と「アクセスポイントから受話者まで」だけで済むため、双方の近くにアクセスポイントがあれば、遠距離・国際通話などであっても、距離に関わらず低価格或いは無料で電話サービスを提供できる。【０００４】  このＩＰ電話では、特定のサービスプロバイダとの契約により利用が可能となり、各サービスプロバイダが指定するモデムやターミナルアダプタ等の終端装置を用い、各プロバイダ固有の設定によりＶｏＩＰサーバにアクセスする。【０００５】  上述した通信事業者やサービスプロバイダは、例えば、固定電話から携帯電話への通話料を低減させたり、ＩＰ電話同士の通話料を無料にしたりするなど、事業者間で提携することにより、割安或いは無料のサービスを提供している。【０００６】  ところが、事業者間での提携は、ユーザーにとっては複雑で解りにくく、また、その提携による低料金サービスを受けるためのダイヤル操作が煩雑であることから、上述した割安或いは無料のサービスを十分に利用できない可能性がある。これに対して、従来、通話先の電話番号に応じて接続する通信事業者を切り替えるＡＣＲ機能やＬＣＲ機能が開発されている。【０００７】  しかしながら、上述した従来のＡＣＲ機能やＬＣＲ機能では、通話先の電話番号に応じて、所定の通信事業者に接続するための電話番号を、ダイヤルされた電話番号に単に付加するものであったため、ＩＰ電話のようにサービスプロバイダやＶｏＩＰサーバを選択して任意のサーバに接続することはできなかった。このため、従来では、電話機にＡＣＲ機能やＬＣＲ機能が備わっていても、ＩＰ電話サービスを利用する場合には、ＡＣＲ機能やＬＣＲ機能を停止しなければならなかった。
【特許文献１】特表２００２−５０２１５５号公報
【発明の開示】
【０００８】  そこで、本発明は以上の点に鑑みてなされたもので、ＶｏＩＰサービスが利用可能な通信環境において、通話先に応じ、複数の通信事業者やサービスプロバイダの中から適切なものを選択して、より適正な通信経路に接続することにより、通信料金の低減を図ることのできる接続切替システム及び接続切替方法を提供することをその課題とする。
【０００９】
上記課題を解決するために、本発明は、種々の通信回線を相互に接続して構築される通信ネットワークの接続切替システムにおいて、ダイヤルされた電話番号の種別を識別する電話番号識別部と、電話番号と、該電話番号の種別に応じた電話番号の変更処理又は前記ＩＰ網上における接続先の変更処理を行うための接続処理情報とを関連付けて蓄積する接続処理情報蓄積部と、ダイヤルされた電話番号に応じて、前記接続処理情報蓄積部を参照し、公衆回線、専用回線、無線通信網およびＩＰ網を含む該電話番号の種別を識別するとともに、該種別に応じた接続処理情報を前記接続処理情報蓄積部から取得する電話番号識別部と、前記接続処理情報蓄積部の情報に応じて接続先を変更する接続変更部とを具備し、前記電話番号識別部は、ダイヤルされた電話番号に応じて、最も料金が低くなるような通信経路を選択し、取得された接続処理情報に応じて、前記ダイヤルされた電話番号を変更するか、又は前記ＩＰ網上における接続先を変更し、前記接続変更部は、ＩＰ網上において料金が低くなるような接続先を変更する際、前記接続処理情報に基づいて、前記ＩＰ網上に設置されたサーバ装置に接続するための設定を変更した後、前記ＩＰ網に対する再接続を実行することによって前記接続先の変更を行うとともに、ＩＰ網上に送出されるパケットデータの送信先を変更された接続先宛に書き替える。
【００１０】
なお、本発明において「接続先の変更処理」には、ダイヤルされた電話番号の一部又は全部を書き替えたり、ダイヤルされた電話番号の先頭又は末尾に電話番号を付加する等の処理が含まれる。
【００１１】
また、本発明においてIP網上における「接続先の変更処理」には、IP電話サービスの提供を受ける際にアクセスするサービスプロバイダに接続するための電話番号を書き替えたり、VoIPサーバのアドレスやこのVoIPサーバにアクセスするためのIDやパスワードを変更したり、送信するパケットデータのヘッダを書き替えたりする処理が含まれる。
【００１２】
このような本発明によれば、ユーザーがダイヤルした電話番号の属性に基づいて接続すべきより低額な通信事業者やサービスプロバイダを検索し、検索された接続先に応じた接続処理情報によって、通信事業者やサービスプロバイダに接続することができ、ユーザーは通常の発呼処理を行なうだけで、接続先に応じて、複数の通信事業者やサービスプロバイダの中から最も料金が低くなるような経路やIP網へ変更し、適切な通信経路及びＶｏＩＰサービスを選択することができる。
【００１３】
また、本発明では、接続処理情報に基づいて、ＩＰ網上に設置されたサーバ装置に接続するための設定を変更した後、ＩＰ網に対する再接続を実行することによって接続先の変更を行うとともに、ＩＰ網上に送出されるパケットデータの送信先を変更された接続先宛に書き替える。これらの処理としては、上述したようなＶｏＩＰサーバのアドレスやこのＶｏＩＰサーバにアクセスするためのＩＤやパスワードを変更したり等、ＰＰＰｏＥ（ＰＰＰ ｏｖｅｒ Ｅｔｈｅｒｎｅｔ（登録商標））などのプロトコルの変更や、送信するパケットデータのヘッダを書き替えたりする処理が含まれる。
【００１４】  このような発明によれば、接続すべきサービスプロバイダが独自のユーザーＩＤやパスワード、サーバアドレス等の設定を要求しているときであっても、自動的な再接続処理により当該接続先にログインすることが可能となり、ユーザーは特別な設定操作をすることなく、より適正な料金の通信経路を選択することができる。
【００１５】
上記発明においては、ＩＰ網に接続するためのＩＰ網接続部と、音声信号とパケット信号との間で相互変換を行うＶｏＩＰ変換部とをさらに備え、前記ＩＰ網に対する再接続の実行は、接続先に対するＩＤ、パスワード又はプロトコルのいずれかの変更、及び前記ＩＰ網接続部の再起動を伴うことが好ましい。この場合には、ＶｏＩＰ技術を利用した通話が可能となり、より低額なサービスの提供を受けることができる。
【００１６】  なお、このＶｏＩＰ変換機能は、例えば、モデムやターミナルアダプタ、メディアコンバータ、ユーザー宅側に設置される終端装置に備えられてもよく、電話機等の端末装置に内蔵されてもよく、さらには、通信事業者の局舎内に設置される局側装置内に備えられるものであってもよい。局側装置に備えられる場合には、ユーザー宅内側におけるＶｏＩＰ変換が行われないため、ユーザー宅から局者間は、通常の音声通話となり、その接続のためにダイヤルされる電話番号を上記接続処理情報として蓄積しておく。
【００１７】
上記発明においては、例えば、一般公衆回線網又はIP網上から接続処理情報を取得するなどして、接続処理情報蓄積部内に蓄積された接続処理情報を更新することがことが好ましい。この場合には、接続処理情報を更新することができるため、最新の料金体系を反映させた回線網の選択が可能となる。
【図面の簡単な説明】
【００１８】
【図１】第１実施形態に係る接続切替システムを適用する通信システムの概略構成を示すブロック図である。
【図２】第１実施形態に係る加入者宅内と電話局の局舎との関係を示すブロック図である。
【図３】第１実施形態に係るモデムの内部構成を示す機能ブロック図である。
【図４】第１実施形態に係る接続切替システムの動作を示すシーケンス図である。
【図５】第１実施形態に係る処理情報テーブルの更新処理の手順を示すシーケンス図である。
【図６】第２実施形態に係る接続切替システムの動作を示すシーケンス図である。
【図７】変更例に係る加入者宅内と電話局の局舎との関係を示すブロック図である。
【図８】変更例に係るゲートウェイ装置の内部構成を示す機能ブロック図である。
【図９】変更例に係る接続切替システムの動作を示すシーケンス図である。
【発明を実施するための最良の形態】
【００１９】［第１実施形態］
（接続切替システムの構成）
本発明の実施形態について、図面を参照しつつ説明する。図１は、本実施形態に係る接続切替システムを適用する通信システムの概略構成を示すブロック図である。【００２０】  同図に示すように、本実施形態に係る通信システムには、通信事業者Ａが有するＩＰ網４と、他社である通信事業者Ｂ〜Ｄが有するＩＰ網６〜８と、一般公衆回線網ＰＳＴＮ５が含まれている。加入者宅１に設置された電話機１３は、局舎２に設置されたＤＳＬＡＭ２２を通じてＡ社ＩＰ網４に接続できるとともに、局舎２内に設置された加入者交換機２４を通じてＰＳＴＮ（Ｐｕｂｌｉｃ  Ｓｗｉｔｃｈｅｄ  Ｔｅｌｅｐｈｏｎｅ  Ｎｅｔｗｏｒｋｓ）５に接続が可能となっている。【００２１】  Ａ社ＩＰ網４及びＢ〜Ｄ社ＩＰ網６〜８は、通信プロトコルＴＣＰ／ＩＰを用いて種々の通信回線（電話回線やＩＳＤＮ回線、ＡＤＳＬ回線などの公衆回線、専用回線、無線通信網）を相互に接続して構築される分散型の通信ネットワークである。また、ＰＳＴＮ５は、一般の加入電話回線の通信ネットワークであり、電話機から線交換方式で相手の電話機に接続し、音声通話を行う。【００２２】  特に、Ａ社ＩＰ網４は、加入者宅１のユーザーが加入している通信事業者が運営する回線網であり、ＶｏＩＰサーバ４１に備えられた加入者データベース４１ａによりＩＰ電話サービスの提供を行っている。また、Ａ社ＩＰ網４は、局舎２が接続されており、局舎２内のＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）２２を通じて、※※※宅内と通信が可能である。【００２３】  さらに、Ａ社ＩＰ網４は、ＰＯＩ（Ｐｏｉｎｔ  Ｏｆ  Ｉｎｔｅｒｆａｃｅ）局４２及び網終端装置７２を介してＣ社ＩＰ網７に接続されているとともに、Ｂ社ＩＰ網６及びＤ社ＩＰ網８及びＰＳＴＮ５にも接続されている。ここで、ＰＯＩ局４２は、各通信事業者が所有する回線の相互接続点であり、このＰＯＩ局４２を挟んで回線使用料が区分されており、加入者宅９からＰＯＩ局４３までのＣ社回線に対する使用料と、ＰＯＩ局４２により以遠のＡ社回線に対する使用料が別々となっている。【００２４】  Ｂ社ＩＰ網６は、ＶｏＩＰサーバ６１及び加入者データベース６１ａにより、Ｂ社加入ユーザーに対してＩＰ電話サービスを提供する通信網であり、ＰＯＩ局を介することなくＡ社ＩＰ網４と接続されており、Ａ社ＩＰ網４とＢ社ＩＰ網６とはシームレスにデータの送受が可能であり、この間の通信料は無料となっている。また、このＢ社ＩＰ網６にはＤＳＬＡＭ６２を通じて電話機６３が接続されている。なお、このＢ社はＡ社と提携しており、Ａ社ＩＰ網４とＢ社ＩＰ網６との間におけるＩＰ電話は無料となっている。【００２５】  Ｃ社ＩＰ網７は、ＶｏＩＰサーバ７１及び加入者データベース７１ａにより、Ｃ社加入ユーザーに対してＩＰ電話サービスを提供する通信網である。また、このＣ社ＩＰ網７にはＤＳＬＡＭ７３、スプリッタ７４及びモデム９２を通じて加入者宅９内の電話機９３や情報端末９１が接続されている。なお、このＣ社はＡ社とは提携しておらず、Ａ社ＩＰ網４とＣ社ＩＰ網７との間におけるＩＰ電話は有料となっている。なお、加入者宅９に設置されたスプリッタ７４は、ＰＳＴＮ５にも接続されており、電話機９３を用いてＰＳＴＮ５を通じての通常通話も可能となっている。【００２６】  Ｄ社ＩＰ網８は、ＶｏＩＰサーバ８１及び加入者データベース８１ａにより、Ｄ社加入ユーザーに対してＩＰ電話サービスを提供する通信網であり、ＰＯＩ局を介することなくＡ社ＩＰ網４と接続されており、Ａ社ＩＰ網４とＤ社ＩＰ網８とはシームレスにデータの送受が可能であり、この間の通信料は無料となっている。また、このＤ社はＣ社と提携しており、Ｄ社ＩＰ網８とＣ社ＩＰ網７との間におけるＩＰ電話は無料となっている。【００２７】  ＰＳＴＮ５は、一般固定電話５５等が接続され、これらの電話と通常通話が可能であるとともに、他の種類の通信回線網、例えば携帯電話回線網５０（ゲートウェイ装置５１、基地局５２及び携帯電話機５３等）や、国際電話回線網５４と接続されている。【００２８】  図２は、加入者宅１内と電話局の局舎との関係を示すブロック図である。同図に示すように、加入者宅１内では、電話線等のメタリックケーブル３に、スプリッタ１４を介してＡＤＳＬモデム１２が接続され、ＡＤＳＬモデム１２には、ＴＡ１５を介してデータ通信が可能なパーソナルコンピュータ等のコンピュータ１１と、音声通話を行うための電話機１３が接続されている。ＴＡ１５は、ＬＡＮやＵＳＢ等のデータ通信用の端子と、一般電話機を接続するためのライン端子とを備えており、ＡＤＳＬモデム１２は、音声をパケット化する変換機能を備えている。【００２９】  一方、電話局の局舎内では、メタリックケーブル３にスプリッタ２１が接続されており、スプリッタ２１には、ＤＳＬＡＭ２２と、加入者交換機２４とが接続されている。ＤＳＬＡＭ２２は、ルータ２５を介してＩＰ網４に接続されており、加入者交換機２４は、ＰＳＴＮ５に接続されている。【００３０】  ＡＤＳＬモデム１２は、コンピュータ１１及び電話機１３をＩＰ網４又はＰＳＴＮ５に接続するために、デジタル信号と音声信号とを相互に変換する信号変換機である。本実施形態において、このＡＤＳＬモデム１２は、音声帯域信号と変調信号を分岐或いは合成するスプリッタ１４と接続され、局側のスプリッタ２１を介して、ＰＳＴＮ５に接続されている。さらに、ＡＤＳＬモデム１２は、変調信号とＩＰパケットとの変換を行う集合型ＡＤＳＬモデムであるＤＳＬＡＭ２２を介して、ＩＰ網４に接続されている。なお、このＡＤＳＬモデム１２としては、例えば、ＩＴＵ−ＴＧ．９９２．１  Ａｎｎｅｘ  Ａ．ｅｘ規格に準拠したＡＤＳＬモデムを用いることができる。【００３１】  図３は、ＡＤＳＬモデム１２の内部構成を示す機能ブロック図である。先ず、同図に示すように、ＡＤＳＬモデム１２は、外部インターフェース１２２を備えている。この外部インターフェース１２２は、スプリッタ１４から受信される信号を、電話機１３又はコンピュータ１１に分配するとともに、コンピュータ１１からの信号をデータ信号としてスプリッタ１４のＤＡＴＡラインに、電話機１３からの信号を音声信号としてスプリッタ１４のフォンラインに送出する。【００３２】  また、いわゆるＶｏＩＰ機能を備えており、このＶｏＩＰ機能を実現するための構成として、ＶｏＩＰ変換部１２０と、接続変更部１２４と、電話番号識別部１２１と、処理情報テーブルを格納する接続処理情報蓄積部１２３とを備えている。なお、これらの各部１２０，１２１，１２３及び１２４は、ＡＤＳＬモデム１２に備えられたファームウェアで実現される。【００３３】  ＶｏＩＰ変換部１２０は、電話番号識別部１２１からの制御信号に基づいて、ＶｏＩＰ変換の要否を判断し、必要に応じて音声・パケット変換を行うモジュールである。すなわち、通信がＩＰ電話であるときは、電話機１３から受信した音声帯域信号をＩＰパケットに変換し、当該ＩＰパケットを所定のＡＤＳＬモデムの規格により変調し、この変調信号をスプリッタ１４のデータラインに送出する。また、ＶｏＩＰ変換部１２０は、通信が一般通話でありＶｏＩＰ変換が不要であるときには、受信した音声帯域信号をそのまま、スプリッタ１４のフォンラインに送出する。さらに、ＡＤＳＬモデム１２は、ＩＰ電話に際し、網側から受信したＩＰパケットを音声帯域信号に変換して電話機１３に送出する。【００３４】  電話番号識別部１２１は、電話機１３においてダイヤルされた電話番号を取得し、その電話番号の局番等に基づいて接続処理情報蓄積部１２３を参照し、電話番号の種別を識別するとともに、種別に応じた接続処理情報を接続処理情報蓄積部１２３から取得するモジュールである。接続処理情報蓄積部１２３は、処理情報テーブルが格納されたメモリ装置である。この処理情報テーブルは、表１に示すように、電話番号と電話番号の種別に応じた電話番号の変更処理又はＩＰ網上における接続先の変更処理を行うための接続処理情報とを関連付けたテーブルデータである。
【表１】
0004916314.tif 000002
【００３５】  この表では、例えば通話先の電話番号の上３桁が”０９０”や”０８０”のときは、その属性が携帯電話であると判断し、この属性に応じた接続処理として、電話番号の先頭に”００３８”等の対携帯電話定額料金サービス用の番号を付加する。【００３６】  また、通話先の電話番号の上３桁が”０５０”のときは、ＩＰ電話であると判断し、さらにそれに続く４桁を識別することにより、いずれの通信事業者（Ａ〜Ｄ）が提供するＩＰ電話サービスかを判断し、Ａ社との提携状態に基づいて料金が有料か無料かを判定し、判定結果に基づいて接続先のＩＰ網を変更する。例えば、図１に示したように、Ａ社とＣ社とは不提携であり通話料が有料であるような場合に、ダイヤルされた電話番号がＣ社ＩＰ網宛の”０５０−ｚｚｚｚ”であるとき、Ｄ社ＩＰ網８上のＶｏＩＰサーバ８１に接続すべく、ダイヤルされた電話番号を中継電話番号に変換するか、或いはパケットの送信先であるゲートウェイ（ＧＷ）を選択する。【００３７】  また、ダイヤルされた電話番号の上３桁が”０ａｂ”であり一般固定電話であるときであっても、ＶｏＩＰ接続により低料金で通話が可能であるときには、ＶｏＩＰ接続処理を実行し、通信が確立しない場合には、ダイヤルされた番号によりＰＳＴＮ経由の接続を実行する。【００３８】  そして、電話番号識別部１２１は、処理情報テーブルの参照結果に基づいて、ＶｏＩＰ変換を実行すべきか否かについて判断し、現在確立しようとしている通信が、一般通話なのか、ＶｏＩＰ通話なのかを判定し、その判定結果に応じて、ＶｏＩＰ変換部１２０に対してＶｏＩＰ変換の要否及び信号送出先（データライン又はフォンライン）を制御信号としてＶｏＩＰ変換部１２０に出力する。また、電話番号識別部１２１は、処理情報テーブルから読み出された接続処理情報を接続変更部１２４に送出する。【００３９】  接続変更部１２４は、電話番号識別部１２１から入力された接続処理情報に応じて、ダイヤルされた電話番号を変更するか、又はＩＰ網上における接続先を変更するモジュールであり、データ通信変更部１２４ａと、電話番号変更部１２４ｂとを備えている。【００４０】  電話番号変更部１２４ｂは、フォンラインを通じて送信されるダイヤル電話番号を一時的に取得し、その電話番号の一部又は全部を書き替えたり、ダイヤルされた電話番号の先頭又は末尾に電話番号を付加する等の処理を実行してフォンラインに送出する。【００４１】  データ通信変更部１２４ａは、ＤＡＴＡラインを通じて送信されるＩＰパケットを一時的に取得し、ＩＰパケットのヘッダ等に記述された、ＩＰ電話サービスプロバイダに接続するための電話番号を書き替えたり、ＶｏＩＰサーバ又はゲートウェイのアドレスを変更したり等の処理を実行する。【００４２】  さらに、本実施形態に係るＡＤＳＬモデム１２は、データ更新部１２５を備えている。このデータ更新部１２５は、ＰＳＴＮ５又はＩＰ網４上から新規な処理情報テーブルを取得し、接続処理情報蓄積部内に蓄積された処理情報テーブルを更新したり、ファームウェアのバージョンアップを実行するモジュールである。これらの処理情報テーブルやバージョンアップされたファームウェアは、例えばＩＰ網４に設置され��管理サーバや、ＰＳＴＮ５上に設置された管理局等から周期的に自動配信され、新規なデータの受信が完了した後、データ更新部１２５により接続処理情報蓄積部１２３内のデータの書き換えやファームウェアのバージョンアップの実行を行う。【００４３】（接続切替方法）
以上の構成を有する接続切替システムを動作させることによって、本発明の接続切替方法を実施することができる。図４は、本実施形態に係る接続切替システムの動作を示すシーケンス図である。【００４４】  先ず、加入者宅１において、ユーザーが電話機１３でダイヤルし（Ｓ１０１）、電話番号識別部１２１において電話番号の識別を行う（Ｓ１０２）。すなわち、電話番号識別部１２１で、電話機１３においてダイヤルされた電話番号を取得し、その電話番号の局番等に基づいて処理情報テーブルを参照し、電話番号の種別を識別するとともに、種別に応じた接続処理情報を接続処理情報蓄積部１２３から読み出す。【００４５】  本実施形態では、ＩＰ電話であるか（Ｓ１０３）、他社のＰＳＴＮ回線であるか（Ｓ１２０）、携帯電話或いは国際電話であるか（Ｓ１２４）の順で種別を判定し、これらいずれでもない場合（Ｓ１０３，Ｓ１２０及びＳ１２４のすべてにおいて”Ｎ”）には、通常のＰＳＴＮ経由の接続を行う（Ｓ１２９）。【００４６】  ステップＳ１０３において種別がＩＰ電話であると判断した場合（Ｓ１０３における”Ｙ”）には、電話機１３から入力された音声信号をＶｏＩＰ変換部１２０においてパケットデータに変換するとともに（Ｓ１０４）、接続先のＩＰ網がＡ社との提携関係があるか否かを判断する（Ｓ１０５）。提携があれば（Ｓ１０５における”Ｙ”）、通常のＶｏＩＰ接続により局舎２内のＤＳＬＡＭ２２経由でＡ社ＩＰ網４に接続し、ＶｏＩＰサーバ４１にアクセスして通話を確立させる（Ｓ１０６〜Ｓ１０８）。【００４７】  なお、ステップＳ１０３における判断では、例えば、通話先が一般固定電話や国際電話、携帯電話等であっても、ＶｏＩＰ接続経由での接続が可能であるときには、ＩＰ電話として判断する（Ｓ１０３における”Ｙ”）。この場合は、Ａ社ＩＰ網４経由で、ＰＳＴＮ５や携帯電話回線網５０、国際電話回線網５４、一般固定電話５５との接続を実行する（Ｓ１０９及びＳ１１０）【００４８】  ステップＳ１０５において、Ａ社との提携がないと判断したとき（Ｓ１０５における”Ｎ”）には、接続先のＩＰ網と提携関係のある他社のＶｏＩＰサービスを受けるための中継電話番号があるか否かの判断を行う（Ｓ１１１）。中継電話番号がない場合には（Ｓ１１１における”Ｎ”）、他社のＶｏＩＰサーバに接続するためのゲートウェイ宛にパケットを送信すべく、ＩＰパケットの宛先アドレスの変更し、ゲートウェイの選択を行う（Ｓ１１２）。この宛先の変更されたＩＰパケットは、局舎のＤＳＬＡＭを経て、選択されたゲートウェイ経由で提携があるＩＰ網のＶｏＩＰサーバに送信され、通話が確立される（Ｓ１１５）。【００４９】  また、ステップＳ１１１において、中継電話番号がある場合には（Ｓ１１１における”Ｙ”）、ダイヤルされた電話番号を中継電話番号に変換し（Ｓ１１８）、局舎における中継処理を経て（Ｓ１１９）、接続先のＩＰ網と提携関係があるＩＰ網との接続を行う（Ｓ１１５）。【００５０】  なお、この他社のＩＰ網経由でさらに一般固定電話や国際電話、携帯電話等にＶｏＩＰ接続経由での接続が可能であるときには、他社ＩＰ網経由で、ＰＳＴＮ５や携帯電話回線網５０、国際電話回線網５４、一般固定電話���５との接続を実行する（Ｓ１１６及びＳ１１７）。【００５１】  上記ステップＳ１２０において種別が他社公衆回線であると判断した場合（Ｓ１２０における”Ｙ”）には、既にＩＰ電話ではないと判断されていることから、公衆回線網経由で低料金の通信経路を選択すべく、例えば、電話番号の先頭に”００ｘｘ”を付加して、他の通信事業者の公衆回線網に接続する（Ｓ１２１〜Ｓ１２３）。【００５２】  上記ステップＳ１２４において種別が携帯電話又は国際電話であると判断した場合（Ｓ１２４における”Ｙ”）には、既にＩＰ電話ではないと判断されていることから、例えば、電話番号の先頭に”００３８”や”００ｘｘ”を付加して、公衆回線網経由で低料金のサービスの提供を受ける（Ｓ１２５〜Ｓ１２８）。【００５３】  ステップＳ１０３、ステップＳ１２０、及びステップＳ１２４において、ＩＰ電話、他社回線、携帯電話及び国際電話のいずれでもないと判断した場合（Ｓ１０３，Ｓ１２０及びＳ１２４における”Ｎ”）には、通常のＰＳＴＮ経由の接続を行う（Ｓ１２９）。【００５４】  なお、上述した処理情報テーブルは、ＰＳＴＮ上又はＩＰ網上から新規ファームウェアをダウンロードし、ファームウェアをバージョンアップすることによって更新することができる。図５は、ファームウェアのバージョンアップ処理の手順を示すシーケンス図である。なお、ここでは、Ａ社ＩＰ網４上のＶｏＩＰサーバ４１からアップデート処理を行うものとする。【００５５】  先ず、ＶｏＩＰサーバ４１からＤＳＬＡＭ２２経由でＡＤＳＬモデム１２の、データ更新部１２５に接続要求を行う（Ｓ２０１及びＳ２０２）。データ更新部１２５は、この接続要求に対する許可について判断し（Ｓ２０３）、接続を拒否する場合は（Ｓ２０３における”Ｎ”）、そのまま処理を終了する。【００５６】  一方、ステップＳ２０３において、接続を許可する場合には（Ｓ２０３における”Ｙ”）、データ更新部１２５は、ＶｏＩＰサーバ４１に対して新規ファームウェアの配信要求をＤＳＬＡＭ２２経由で送信する（Ｓ２０４及びＳ２０５）。この配信要求に応じてＶｏＩＰサーバ４１は、新規ファームウェアをＤＳＬＡＭ２２経由で配信する（Ｓ２０６及びＳ２０７）。ＡＤＳＬモデム１２では、ＶｏＩＰサーバ４１から新規ファームウェアを受信し（Ｓ２０８）、接続処理情報蓄積部１２３内に蓄積された処理情報ファームウェアをバージョンアップする（Ｓ２０９）。【００５７】（接続切替システム及び方法による作用・効果）
以上説明した本実施形態に係る接続切替システム及び方法によれば、ユーザーがダイヤルした電話番号の属性に基づいて接続すべきより低額な通信事業者やサービスプロバイダを検索し、検索された接続先に応じた接続処理情報によって、通信事業者やサービスプロバイダに接続することができることから、通信料金の低減を図ることができる。【００５８】  また、一般公衆回線網又はＩＰ網上からファームウェアを取得し、ファームウェアのバージョンアップを実行することによって、接続処理情報を更新するため、最新の料金体系を反映させた回線網の選択が可能となる。【００５９】［第２実施形態］
次いで、本発明の第２実施形態について説明する。本実施形態では、他社のＶｏＩＰサービスを利用する際の接続処理において、ＰＰＰｏＥ設定の変更を行うことを特徴とする。なお、この回線への再接続機能は、上述した第１実施形態で説明したファームウェアのオプションとして追加することができる。【００６０】  具体的には、接続処理情報蓄積部１２３に格納された処理情報テーブルを、表２に示すようなものにする。
【表２】
0004916314.tif 000003
【００６１】  表２に示すように、通話先の電話番号の上３桁が”０５０”であり、ＩＰ電話であると判断した場合、さらにそれに続く４桁を識別することにより、いずれの通信事業者（Ａ〜Ｄ）が提供するＩＰ電話サービスかを判断し、Ａ社との提携状態に基づいて料金が有料か無料かを判定し、判定結果に基づいて接続先のＩＰ網を変更する。例えば、図１に示したように、Ａ社とＣ社とは不提携であり通話料が有料であるような場合に、ダイヤルされた電話番号がＣ社ＩＰ網宛の”０５０−ｚｚｚｚ”であるとき、Ｄ社ＩＰ網８上のＶｏＩＰサーバ８１に接続すべく、ＡＤＳＬモデム１２のＰＰＰｏＥ設定を変更する。【００６２】  そして、データ通信変更部１２４ａは、ＰＰＰｏＥの設定を変更するために、ＤＡＴＡラインを通じて送信されるＩＰパケットを一時的に取得し、ＩＰパケットのヘッダ等に記述された、ＩＰ電話サービスプロバイダに接続するための電話番号を書き替えたり、ＶｏＩＰサーバのアドレスやこのＶｏＩＰサーバにアクセスするためのＩＤやパスワードを書き替えたりして、ＰＰＰｏＥ等のプロトコル設定を変更する。なお、このデータ通信変更部１２４ａは、ＡＤＳＬモデム１２のブート機能と連動しており、ＰＰＰｏＥの設定変更を実行するに際し、必要に応じてＡＤＳＬモデム１２の再起動を行う。【００６３】  以上の構成を有する接続切替システムは、以下のように動作する。図６は、第２実施形態に係る接続切替システムの動作を示すシーケンス図である。【００６４】  先ず、加入者宅１において、ユーザーが電話機１３でダイヤルし（Ｓ３０１）、電話番号識別部１２１において電話番号の識別を行う（Ｓ３０２）。すなわち、電話番号識別部１２１で、電話機１３においてダイヤルされた電話番号を取得し、その電話番号の局番等に基づいて処理情報テーブルを参照し、電話番号の種別を識別するとともに、種別に応じた接続処理情報を接続処理情報蓄積部１２３から読み出す。【００６５】  本実施形態では、ＩＰ電話であるか（Ｓ３０３）、他社のＰＳＴＮ回線であるか（Ｓ３１６）、携帯電話或いは国際電話であるか（Ｓ３２０）の順で種別を判定し、これらいずれでもない場合（Ｓ３２０における”Ｎ”）には、通常のＰＳＴＮ経由の接続を行う（Ｓ３２５）。【００６６】  ステップＳ３０３において種別がＩＰ電話であると判断した場合（Ｓ３０３における”Ｙ”）には、電話機１３から入力された音声信号をＶｏＩＰ変換部１２０においてパケットデータに変換するとともに（Ｓ３０４）、接続先のＩＰ網がＡ社との提携関係があるか否かを判断する（Ｓ３０５）。提携があれば（Ｓ３０５における”Ｙ”）、通常のＶｏＩＰ接続により局舎２内のＤＳＬＡＭ２２経由でＡ社ＩＰ網４に接続し、ＶｏＩＰサーバ４１にアクセスして通話を確立させる（Ｓ３０６〜Ｓ３０８）。【００６７】  なお、ステップＳ３０３における判断では、例えば、通話先が一般固定電話や国際電話、携帯電話等であっても、ＶｏＩＰ接続経由での接続が可能であるときには、ＩＰ電話として判断する（Ｓ３０３における”Ｙ”）。この場合は、Ａ社ＩＰ網４経由で、ＰＳＴＮ５や携帯電話回線網５０、国際電話回線網５４、一般固定電話５５との接続を実行する（Ｓ３０９及びＳ３１０���【００６８】  ステップＳ３０５において、提携がないと判断したとき（Ｓ３０５における”Ｎ”）には、提携があるＩＰ網との接続を行う（Ｓ３１１）。具体的には、例えば、ダイヤルされた電話番号がＣ社ＩＰ網宛であるとき、Ｄ社ＩＰ網８上のＶｏＩＰサーバ８１に接続すべく、ＡＤＳＬモデム１２のＰＰＰｏＥ設定（ＶｏＩＰサーバアドレスやＩＤ、パスワード）を変更し、ＡＤＳＬモデム１２の再起動して回線への再接続を行い、ＶｏＩＰサーバ８１の呼び出し及びログインを行う。そして、ＶｏＩＰサーバ８１との接続が確立した後、ＤＳＬＡＭ経由でＣ社ＩＰ網７との通信を確立する（Ｓ３１２及びＳ３１３）。なお、このＣ社ＩＰ網７経由でさらに一般固定電話や国際電話、携帯電話等に、ＶｏＩＰ接続経由での接続が可能であるときには、Ｃ社ＩＰ網７経由で、ＰＳＴＮ５や携帯電話回線網５０、国際電話回線網５４、一般固定電話５５との接続を実行する（Ｓ３１４及びＳ３１５）。【００６９】  上記ステップＳ３１６において種別が他社公衆回線であると判断した場合（Ｓ３１６における”Ｙ”）には、既にＩＰ電話ではないと判断されていることから、公衆回線網経由で低料金の通信経路を選択すべく、例えば、電話番号の先頭に”００ｘｘ”を付加して、他の通信事業者の公衆回線網に接続する（Ｓ３１７〜Ｓ３１０）。【００７０】  上記ステップＳ３２０において種別が携帯電話又は国際電話であると判断した場合（Ｓ３２０における”Ｙ”）には、既にＩＰ電話ではないと判断されていることから、例えば、電話番号の先頭に”００３８”や”００ｘｘ”を付加して、公衆回線網経由で低料金のサービスの提供を受ける（Ｓ３２１〜Ｓ３２４）。【００７１】  ステップＳ３０３、ステップＳ３１６、及びステップＳ３２０において、ＩＰ電話、他社回線、携帯電話及び国際電話のいずれでもないと判断した場合（Ｓ３０３，Ｓ３１６及びＳ３２０における”Ｎ”）には、通常のＰＳＴＮ経由の接続を行う（Ｓ３２５）。【００７２】  以上説明した第２実施形態によれば、接続すべきサービスプロバイダが独自のユーザーＩＤやパスワード、サーバアドレス等の設定を要求しているときであっても、自動的な再接続処理により当該接続先にログインすることが可能となり、ユーザーは特別な設定操作をすることなく、より適正な料金の通信経路を選択することができる。【００７３】［変更例］
なお、上述した第１及び第２実施形態では、接続切替システムをＡＤＳＬモデム１２内に配設したが、本発明はこれに限定されるものではなく、例えば、局舎２内に設置されたゲートウェイ装置２３内に、接続切替システムを配設してもよい。【００７４】  図７は、本変更例に係る通信システムの全体を示すブロック図である。同図に示すように、本変更例に係る通信システムでは、加入者宅１内と電話局の局舎２内とが、電話線や銅線等のメタリックケーブル３により接続されている。加入者宅１では、メタリックケーブル３に電話機１３が直接接続されている。【００７５】  一方、局舎２内では、メタリックケーブル３に直接ゲートウェイ装置２３が接続されている。このゲートウェイ装置２３は、ＩＰ網４に接続するためのルータ２５に接続されているとともに、ＰＳＴＮ５に接続するための加入者交換機２４とが接続されている。【００７６】  図８は、ゲートウェイ装置２３の内部構成を示す機能ブロック図である。ゲートウェイ装置２３は、ＶｏＩＰ機能を備えており、具体的には、ＶｏＩＰ変換部２３０と、接続変更部２３４と、電話番号識別部２３１と、処理情報テーブルを格納する接続処理情報蓄積部２３３、識別子生成部２３６と、音声通信部２３２と、集線部２３７とを備えている。【００７７】  集線部２３７は、各加入者宅に設置された電話機からのメタリックケーブル３が複数接続される装置である。パケット送受信部２３５は、通話元識別子（電話機１３のＩＰアドレス等）及び通話先識別子（接続先のＩＰアドレス等）に基づいてパケット信号の送受信を行うモジュールである。【００７８】  音声通信部２３２は、メタリックケーブル３を通じて電話機１３と音声通信を行い、通信が一般通話であるときには、電話機１３の回線を加入者交換機２４に接続するモジュールである。この音声通信部２３２は、電話番号識別部２３１からの制御信号によって、通信が一般通話でありＶｏＩＰ変換が不要であると指示されたときには、受信した音声帯域信号をそのまま、加入者交換機２４側へ送出する。【００７９】  ＶｏＩＰ変換部２３０は、電話番号識別部２３１からの制御信号によって、ＶｏＩＰ変換が必要であると指示されたときに、音声・パケット変換を行うモジュールである。すなわち、通信がＩＰ電話であるときは、電話機１３から受信した音声帯域信号をＩＰパケットに変換し、パケット送受信部２３５を通じて、ルータ２５に送出する。また、ＶｏＩＰ変換部２３０は、ＩＰ電話に際し、網側から受信したＩＰパケットを音声帯域信号に変換して電話機１３に送出する。【００８０】  識別子生成部２３６は、電話機１３からの制御信号に基づいて通話元識別子及び通話先識別子とを生成するモジュールである。この通話元識別子は、通話元である加入者宅１内の電話機１３を識別するための電話番号等に基づいて生成されるＩＰアドレス等であり、通話先識別子は、通話先の電話機等に付された電話番号に対応付けられたＩＰアドレス等である。【００８１】  電話番号識別部２３１は、電話機１３においてダイヤルされた電話番号を取得し、その電話番号の局番等に基づいて接続処理情報蓄積部２３３を参照し、電話番号の種別を識別するとともに、種別に応じた接続処理情報を��続処理情報蓄積部２３３から取得するモジュールである。接続処理情報蓄積部２３３は、処理情報テーブルが格納されたメモリ装置である。この処理情報テーブルは、表１に示したものと同様であり、電話番号と電話番号の種別に応じた電話番号の変更処理又はＩＰ網上における接続先の変更処理を行うための接続処理情報とを関連付けたテーブルデータである。【００８２】  そして、電話番号識別部２３１は、処理情報テーブルの参照結果に基づいて、ＶｏＩＰ変換を実行すべきか否かについて判断し、現在確立しようとしている通信が、一般通話なのか、ＶｏＩＰ通話なのかを判定し、その判定結果に応じて、ＶｏＩＰ変換部２３０に対してＶｏＩＰ変換の要否及び信号送出先（データライン又はフォンライン）を制御信号としてＶｏＩＰ変換部２３０に出力する。また、電話番号識別部２３１は、処理情報テーブルから読み出された接続処理情報を接続変更部２３４に送出する。【００８３】  接続変更部２３４は、電話番号識別部２３１から入力された接続処理情報に応じて、ダイヤルされた電話番号を変更するか、又はＩＰ網上における接続先を変更するモジュールであり、データ通信変更部２３４ａと、電話番号変更部２３４ｂとを備えている。【００８４】  電話番号変更部２３４ｂは、加入者交換機２４に対して送信されるダイヤル電話番号を一時的に取得し、その電話番号の一部又は全部を書き替えたり、ダイヤルされた電話番号の先頭又は末尾に電話番号を付加する等の処理を実行してフォンラインに送出する。データ通信変更部２３４ａは、ルータ２５に対して送信されるＩＰパケットを一時的に取得し、ＩＰパケットのヘッダ等に記述された、ＩＰ電話サービスプロバイダやゲートウェイに接続するための電話番号を書き替えたり、ＶｏＩＰサーバのアドレスやこのＶｏＩＰサーバにアクセスするためのＩＤやパスワードを書き替えたり、ＰＰＰｏＥ等のプロトコル設定を変更したり等の処理を実行する。【００８５】  このような変更例に係る接続切替システムは、図９のように動作する。同図に示すように、先ず、加入者宅１において、ユーザーが電話機１３でダイヤルし（Ｓ４０１）、局舎２内の電話番号識別部２３１において電話番号の識別を行う（Ｓ４０２）。すなわち、電話番号識別部２３１で、電話機１３でダイヤルされた電話番号を取得し、その電話番号の局番等に基づいて処理情報テーブルを参照し、電話番号の種別を識別するとともに、種別に応じた接続処理情報を接続処理情報蓄積部２３３から読み出す。【００８６】  本変更例においても、ＩＰ電話であるか（Ｓ４０３）、他社のＰＳＴＮ回線であるか（Ｓ４１３）、携帯電話或いは国際電話であるか（Ｓ４１７）の順で種別を判定し、これらいずれでもない場合（Ｓ４１７における”Ｎ”）には、通常のＰＳＴＮ経由の接続を行う（Ｓ４２２）。【００８７】  ステップＳ４０３において種別がＩＰ電話であると判断した場合（Ｓ４０３における”Ｙ”）には、電話機１３から入力された音声信号をＶｏＩＰ変換部２３０においてパケットデータに変換するとともに（Ｓ４０４）、接続先のＩＰ網がＡ社との提携関係があるか否かを判断する（Ｓ４０５）。提携があれば（Ｓ４０５における”Ｙ”）、通常のＶｏＩＰ接続により��社ＩＰ網４に接続し、ＶｏＩＰサーバ４１にアクセスして通話を確立させる（Ｓ４０６）。【００８８】  なお、ステップＳ４０３における判断では、例えば、通話先が一般固定電話や国際電話、携帯電話等であっても、ＶｏＩＰ接続経由での接続が可能であるときには、ＩＰ電話として判断する（Ｓ４０３における”Ｙ”）。この場合は、Ａ社ＩＰ網４経由で、ＰＳＴＮ５や携帯電話回線網５０、国際電話回線網５４、一般固定電話５５との接続を実行する（Ｓ４０７及びＳ４０８）【００８９】  ステップＳ４０５において、提携がないと判断したとき（Ｓ４０５における”Ｎ”）には、提携があるＩＰ網との接続を行う（Ｓ４０９）。具体的には、例えば、ダイヤルされた電話番号がＣ社ＩＰ網宛であるとき、Ｄ社ＩＰ網８上のＶｏＩＰサーバ８１に接続すべく、例えば、他のゲートウェイ宛にパケットの送信先を変更したり、中継電話番号を利用した他社への接続を実行したり、ゲートウェイ装置２３のＰＰＰｏＥ設定（ＶｏＩＰサーバアドレスやＩＤ、パスワード）を変更し、回線への再接続を行い、ＶｏＩＰサーバ８１の呼び出し及びログインを行う。【００９０】  そして、ＶｏＩＰサーバ８１との接続が確立した後、Ｃ社ＩＰ網７との通信を確立する（Ｓ４１０）。なお、このＣ社ＩＰ網７経由でさらに一般固定電話や国際電話、携帯電話等に、ＶｏＩＰ接続経由での接続が可能であるときには、Ｃ社ＩＰ網７経由で、ＰＳＴＮ５や携帯電話回線網５０、国際電話回線網５４、一般固定電話５５との接続を実行する（Ｓ４１１及びＳ４１２）。【００９１】  上記ステップＳ４１３において種別が他社公衆回線であると判断した場合（Ｓ４１３における”Ｙ”）には、既にＩＰ電話ではないと判断されていることから、公衆回線網経由で低料金の通信経路を選択すべく、例えば、電話番号の先頭に”００ｘｘ”を付加して、他の通信事業者の公衆回線網に接続する（Ｓ４１４〜Ｓ４１６）。【００９２】  上記ステップＳ４１７において種別が携帯電話又は国際電話であると判断した場合（Ｓ４１７における”Ｙ”）には、既にＩＰ電話ではないと判断されていることから、例えば、電話番号の先頭に”００３８”や”００ｘｘ”を付加して、公衆回線網経由で低料金のサービスの提供を受ける（Ｓ４１８〜Ｓ４２１）。【００９３】  ステップＳ４０３、ステップＳ４１３、及びステップＳ４１７において、ＩＰ電話、他社回線、携帯電話及び国際電話のいずれでもないと判断した場合（Ｓ４０３，Ｓ４１３及びＳ４１７における”Ｎ”）には、通常のＰＳＴＮ経由の接続を行う（Ｓ４２２）。【００９４】  なお、このゲートウェイ装置２３においても、処理情報テーブルの更新を行うことができる。すなわち、ゲートウェイ装置２３にも上記データ更新部１２５と同様の機能を有するデータ更新部２３８を設け、ＶｏＩＰサーバ４１からＩＰ網経由でゲートウェイ装置２３のデータ更新部２３８に接続し、ＶｏＩＰサーバ４１から、新規テーブルデータをデータ更新部２３８に配信する。データ更新部２３８は、ＶｏＩＰサーバ４１から新規テーブルを受信し、接続処理情報蓄積部２３３内に蓄積された処理情報テーブルを更新する。【００９５】  以上説明した本変更例によれば、局舎側においてＶｏＩＰ変換及���接続切替を実行するため、ユーザーは、一般固定電話を用いた通常の発呼処理を行うだけで、適切な通信経路及びＶｏＩＰサービスを選択することができ、簡単な操作により通話料の低減を実現することができる。
【産業上の利用可能性】
【００９６】  以上説明したように本発明によれば、ＶｏＩＰサービスが利用可能な通信環境において、通話先に応じ、複数の通信事業者やサービスプロバイダの中から適切なものを選択して、より適正な通信経路に接続することにより、通信料金の低減を図ることができる。
【図１】
0004916314.tif 000004
【図２】
0004916314.tif 000005
【図３】
0004916314.tif 000006
【図４】
0004916314.tif 000007
【図５】
0004916314.tif 000008
【図６】
0004916314.tif 000009
【図７】
0004916314.tif 000010
【図８】
0004916314.tif 000011
【図９】
0004916314.tif 000012